(57)【要約】【課題】水路上に配設した床板に、水車装置を簡単かつ迅速に取付けることができるようにした水車装置の設置方法および装置、並びに、水車装置を狭小な設置場所へも軽力で迅速に搬送することができるとともに、水車装置の設置方法の実施を効率よく行うことができるようにした水車搬送用キャリヤを提供する。【解決手段】床板３に、水車装置６における水車本体１０と吊支杆９とが上下方向に挿通可能な挿通孔４と、この挿通孔４の一部に連通し、かつ吊支杆９のみが側方より嵌合可能な取付孔５とを設けておき、床板３上に設けた吊支装置２９により、水車装置６を吊り上げ、水車本体１０と吊支杆９とを、挿通孔４を通して下降させた後、吊支杆９が取付孔５に嵌合するように、水車装置６を側方移動させ、その状態で、取付部材８を床板３に、固着手段１９をもって固着する。【選択図】  図４
2018040302.tif 000002
【特許請求の範囲】
【請求項１】
取付部材より垂下する吊支杆の下端に水車本体を設けてなる水車装置を搬送する水車搬送用キャリヤにおいて、
前記水車装置を上下方向に通過可能として接床または接地しうるベース脚と、
前記ベース脚に立設した支持杆と、
前記支持杆の上部に設けた滑車と、
前記支持杆に設けられ、かつ前記滑車に掛け回されて、一端が前記水車装置に掛止された索条の他端部を巻き取る巻取装置と、
前記支持杆に設けられ、かつ前記ベース脚が床または地面から離れるまで前記支持杆を倒伏させた状態で、前記支持杆を支持しうる車輪と、
前記支持杆を倒伏させた状態で、前記水車装置を支持杆に保持する保持手段
とを備え、前記滑車と、それに掛け回した索条と、前記巻取装置とにより、水車装置を昇降可能として吊支しうる吊支装置を構成したことを特徴とする水車搬送用キャリヤ。
【請求項２】
前記ベース脚を、相互の間隔を前記水車本体の幅より大とした１対の水平側脚を備えているものとした請求項１記載の水車搬送用キャリヤ。
【請求項３】
前記支持杆の一部に、前記支持杆を倒伏させて搬送するときに把持する取手を設けてなる請求項１または２記載の水車搬送用キャリヤ。
【請求項４】
水路上に配設した床板に、取付部材より垂下する吊支杆の下端に水車本体を設けてなる水車装置を取付ける水車装置の設置装置において、
前記水路上に配設され、かつ前記水車装置における少なくとも水車本体と吊支杆とが上下方向に挿通可能な挿通孔と、この挿通孔の一部に連通し、かつ前記吊支杆のみが側方より嵌合可能な取付孔とが設けられた床板と、
前記ベース脚における前記水車装置を上下方向に通過可能な部分が前記挿通孔と整合するようにして、前記ベース脚が前記床板に接床され、前記床板上に起立状態で載置された、請求項１〜３のいずれかに記載の水車搬送用キャリヤ
とを備え、前記水車搬送用キャリヤにおける吊支装置により吊支された前記水車装置を、前記床板の挿通孔を通して昇降可能としたことを特徴とする水車装置の設置装置。
【請求項５】
前記水車装置における取付部材上に、前記水車本体の作動により発電させられるようにした発電装置を設けてなることを特徴とする請求項４記載の水車装置の設置装置。
【請求項６】
請求項４または５記載の水車装置の設置装置を使用して、水路上に配設した床板に、取付部材より垂下する吊支杆の下端に水車本体を設けてなる水車装置を取付ける水車装置の設置方法において、
前記床板上に載置した水車搬送用キャリヤにおける吊支装置により、前記水車装置を吊り上げ、前記水車装置における水車本体と吊支杆とを、前記挿通孔を通して下降させた後、前記吊支杆が取付孔に嵌合するように、前記水車装置を側方移動させ、その状態で、前記取付部材を床板に、固着手段をもって固着することを特徴とする水車装置の設置方法。
【発明の詳細な説明】
【技術分野】
【０００１】
本発明は、水車搬送用キャリヤ、およびそれを使用した水車装置の設置装置および設置方法に関する。
【背景技術】
【０００２】
従来、水路を跨ぐように架設した水平梁に、下端に軸流水車発電装置を設けた支柱を直接固定したり、または上下動可能として設け、支柱を昇降させることにより、軸流水車発電装置を、水路内の流水より引き上げたり、流水に浸漬させたりしうるようにしたものや、上記の支柱の上端を、水平梁に水平軸をもって枢着した回動台に固着し、支柱と軸流水車発電装置とを、水平軸を中心として回動させるようにしたもの等がある(例えば特許文献１参照)。
また、回転操作ハンドルを回転させることにより、水車を昇降させるようにしたものもある(例えば特許文献２参照)。
【先行技術文献】
【特許文献】
【０００３】
【特許文献１】特開２０１５−１４２１９号公報
【特許文献２】特開２０１４−１０１６８４号公報
【発明の概要】
【発明が解決しようとする課題】
【０００４】
上記のような従来の水車装置は、下端に軸流水車発電装置を設けた支柱を、水平梁に取付ける作業が面倒である。
たとえば、支柱の上端を水平梁の下面に固着するには、軸流水車発電装置を流水内に浸漬した状態で行わなければならないので、その保持が大がかりとなり、設置作業が繁雑となる。
また、水平梁に支柱を上下動可能として取付ける作業は、さらに面倒となる。
【０００５】
また、水車装置を設置しようとする場所が、狭小な場合には、設置場所まで水車装置を車両に積載して搬送できないことが多い。
このような場合、水車装置を、車両が進入できる場所から設置場所まで、人手によって搬送しなければならず、多くの人手を要することになる。
【０００６】
本発明は、従来の技術が有する上記のような問題点に鑑みてなされたもので、水車装置を狭小な設置場所へも軽力で迅速に搬送することができるとともに、水車装置の設置方法の実施を効率よく行うことができるようにした水車搬送用キャリヤ、およびそれを使用して、水車装置を水路上に配設した床板に、簡単かつ迅速に取付けることができるようにした水車装置の設置装置および設置方法を提供することを目的としている。
【課題を解決するための手段】
【０００７】
本発明によると、上記課題は、次のようにして解決される。
（１）取付部材より垂下する吊支杆の下端に水車本体を設けてなる水車装置を搬送する水車搬送用キャリヤにおいて、前記水車装置を上下方向に通過可能として接床または接地しうるベース脚と、前記ベース脚に立設した支持杆と、前記支持杆の上部に設けた滑車と、前記支持杆に設けられ、かつ前記滑車に掛け回されて、一端が前記水車装置に掛止された索条の他端部を巻き取る巻取装置と、前記支持杆に設けられ、かつ前記ベース脚が床または地面から離れるまで前記支持杆を倒伏させた状態で、前記支持杆を支持しうる車輪と、前記支持杆を倒伏させた状態で、前記水車装置を支持杆に保持する保持手段とを備え、前記滑車と、それに掛け回した索条と、前記巻取装置とにより、水車装置を昇降可能として吊支しうる吊支装置を構成する。
【０００８】
このような構成によると、水車装置を狭小な設置場所へも軽力で迅速に搬送することができるとともに、水車装置の設置方法に直接使用することにより、水車装置の設置方法の実施を効率よく行うことができる。
すなわち、水車装置を、倒伏させた状態で水車搬送用キャリヤに載置して、床板上の最適位置まで搬送した後、水車搬送用キャリヤを、ベース脚が床板に当接するまで起立させ、その状態で、水車搬送用キャリヤに設けた巻取装置を操作して、水車装置を、床板の挿通孔を通して簡単かつ迅速に下降させることができる。
また、水車装置を、水車搬送用キャリヤに載置する際に、吊支装置を利用して、水車装置を吊り上げ、そのままの状態で、水車搬送用キャリヤを倒伏させるだけで、水車装置を、水車搬送用キャリヤに簡単かつ迅速に積み込むことができる。
しかも、その積み込んだままの状態で搬送し、上記のように、水車搬送用キャリヤを床板上に起立させるだけで、即座に水車装置を下降させることができ、索条を水車装置に掛止させて吊り上げる等の準備作業を、すべて省略することができる。
【０００９】
（２）上記(１)項において、前記ベース脚を、相互の間隔を前記水車本体の幅より大とした１対の水平側脚を備えているものとする。
【００１０】
このような構成によると、支持杆、およびそれに支持された水車装置を、起立状態で安定よく支持することができるとともに、両水平側脚の間の空所を通して、水車装置を支障なく上下方向に移動させることができる。
【００１１】
（３）上記(１)または(２)項において、前記支持杆の一部に、前記支持杆を倒伏させて搬送するときに把持する取手を設ける。
【００１２】
このような構成によると、水車装置を載置した水車搬送用キャリヤを、取手を把持して、安定よく、楽に搬送することができるとともに、水車搬送用キャリヤを倒伏させたり、起立させたりする際にも、取手を把持することにより、それらの作業を楽に行うことができる。
【００１３】
（４）水路上に配設した床板に、取付部材より垂下する吊支杆の下端に水車本体を設けてなる水車装置を取付ける水車装置の設置装置において、前記水路上に配設され、かつ前記水車装置における少なくとも水車本体と吊支杆とが上下方向に挿通可能な挿通孔と、この挿通孔の一部に連通し、かつ前記吊支杆のみが側方より嵌合可能な取付孔とが設けられた床板と、前記ベース脚における前記水車装置を上下方向に通過可能な部分が前記挿通孔と整合するようにして、前記ベース脚が前記床板に接床され、前記床板上に起立状態で載置された、請求項１〜３のいずれかに記載の水車搬送用キャリヤとを備え、前記水車搬送用キャリヤにおける吊支装置により吊支された前記水車装置を、前記床板の挿通孔を通して昇降可能とする。
【００１４】
このような構成によると、吊支装置により、水車装置を吊り上げ、水車装置における水車本体と吊支杆とを、挿通孔を通して下降させた後、吊支杆が取付孔に嵌合するように、前記水車装置を側方移動させ、その状態で、取付部材を床板に、固着手段をもって固着することにより、水路上に配設した床板に、水車装置を簡単かつ迅速に取付けることができるとともに、設置装置の構造を簡素化することができる。
【００１５】
（５）上記(４)項において、前記水車装置における取付部材上に、前記水車本体の作動により発電させられるようにした発電装置が設けられているものとする。
【００１６】
このような構成によると、発電装置を水車装置と一体として、床板に簡単かつ迅速に取り付けることができる。
【００１７】
（６）請求項４または５記載の水車装置の設置装置を使用して、水路上に配設した床板に、取付部材より垂下する吊支杆の下端に水車本体を設けてなる水車装置を取付ける水車装置の設置方法において、前記床板上に載置した水車搬送用キャリヤにおける吊支装置により、前記水車装置を吊り上げ、前記水車装置における水車本体と吊支杆とを、前記挿通孔を通して下降させた後、前記吊支杆が取付孔に嵌合するように、前記水車装置を側方移動させ、その状態で、前記取付部材を床板に、固着手段をもって固着する。
【００１８】
このような方法によると、水路上に配設した床板に、水車装置を、軽力で、簡単かつ迅速に取付けることができる。
【発明の効果】
【００１９】
本発明によると、水車装置を狭小な設置場所へも軽力で迅速に搬送することができるとともに、水車装置の設置方法の実施を効率よく行うことができるようにした水車搬送用キャリヤ、およびそれを使用して、水車装置を水路上に配設した床板に、簡単かつ迅速に取付けることができるようにした水車装置の設置装置および設置方法をを提供することができる。
【図面の簡単な説明】
【００２０】
【図１】本発明の水車装置の設置方法により水路上に設置した水車装置の一実施形態を示す縦断正面図である。
【図２】図１のII−II線における縦断側面図である。
【図３】第１のIII−III線における横断平面図である。
【図４】本発明の水車装置の設置装置の一実施形態により、水路上に水車装置を設置している途中の状態を示す、図１と同様の縦断正面図である。
【図５】本発明の水車搬送用キャリヤの一実施形態における、水車装置を保持して倒伏させた状態を示す正面図である。
【図６】同じく平面図である。
【発明を実施するための形態】
【００２１】
以下、本発明の一実施形態を、図面を参照して説明する。
図１〜図３は、本発明の水車装置の設置方法により水路上に設置した水車装置の一実施形態を示す。
水路１の左右の側壁１ａ、１ａ上には、左右方向を向く前後１対の水平梁２、２が架設されており、さらにその上面には、水平の床板３が設けられている。
【００２２】
床板３のほぼ中央部には、図３に示すように、方形の挿通孔４と、この挿通孔４の左側縁の中央部に連通する狭幅の方形の取付孔５とが設けられている。
この挿通孔４および取付孔５の形状および寸法については後述する。
【００２３】
水車装置６は、四隅と左側部の中央とにボルト挿通孔７が設けられた平面視方形の板状の取付部材８と、その中央部を貫通するようにして取付部材８に固着され、かつ取付部材８の下面から垂下する吊支杆９と、吊支杆９の下端に設けられた水車本体１０と、取付部材８の上面に設けられた発電装置１１とからなっている。
吊支杆９の横断面は、図３に示すように、前部が厚く、後部が薄くなる流線形の筒状をなしている。
【００２４】
水車本体１０は、吊支杆９の下端に設けられた軸受ケーシング１２と、軸受ケーシング１２内の軸受(図示略)に枢支されて、軸受ケーシング１２の前端より突出する水車軸１３と、翼端が水路１内の流水１ｂの上流側(図２における左側)に向かって傾斜する複数の揚力型ブレード１４ａを備え、かつ中央のハブ１４ｂが水車軸１３の前端に固着されたロータ１４と、水車軸１３と同芯をなすようにして、吊支杆９に固着され、かつ前端が流水１ｂの上流側に向かって拡開するダクト１５とを備えている。
【００２５】
水車装置６は、水車本体１０が水路１内の流水１ｂに浸漬され、かつ吊支杆９が床板３の取付孔５に嵌合するようにして、取付部材８を、床板３の上面に当接し、そのボルト挿通孔７と床板３に設けたボルト挿通孔１６とに挿通させたボルト１７と、それに螺合するナット１８とからなる固着手段１９をもって床板３に固着することにより、床板３に設置されている。
ナット１８は、ボルト挿通孔１６と整合するようにして、床板３の下面に予め固着しておくのが好ましい。
【００２６】
この水車装置６は、水路１内の流水１ｂに浸漬されたロータ１４と、それと一体の水車軸１３とが、流水１ｂの水流により回転させられ、そのときの回転力が、図示を省略した動力伝達手段を介して発電装置１１に伝達され、その回転力によって、発電装置１１のロータ(図示略)を回転させて、発電させるようになっている。
【００２７】
動力伝達手段は、例えば、吊支杆９内に回転自在に枢支された上下方向を向く伝達軸２０(図３参照)の下端部に設けた傘歯車(図示略)を、水車軸１３に設けた傘歯車(図示略)に噛合させ、かつ伝達軸２０の上端部を発電装置１１のロータ(図示略)に連結したものとすることができる。
【００２８】
次に、図４〜図６を参照して、本発明の水車装置の設置装置および水車搬送用キャリヤの一実施形態について説明する。
図３および図４に示すように、床板３における挿通孔４の形状および寸法は、水車装置６における少なくとも吊支杆９と水車本体１０とが上下方向に通過しうるように定められており、また、床板３における取付孔５の形状および寸法は、水車装置６における吊支杆９のみが、側方より嵌合可能なように定められている。
【００２９】
図４に示すように、床板３上には、水車装置６を搬送する水車搬送用キャリヤ(以下、単にキャリヤという)２１が、起立状態で載置されている。
このキャリヤ２１は、水車装置６を上下方向に通過可能として接床または接地しうるベース脚２２と、このベース脚２２に立設した支持杆２３と、支持杆２３の上部に設けた滑車２４と、支持杆２３に設けられ、かつ滑車２４に掛け回されて、一端が水車装置６における取付部材８のボルト挿通孔７に掛止されたワイヤ等の索条２５の他端部を巻き取る巻取装置２６と、支持杆２３に設けられ、かつベース脚２２が床または地面から離れるまで支持杆２３を倒伏させた状態(図５参照)で、支持杆２３を支持しうる車輪２７と、支持杆２３を倒伏させた状態で、水車装置６を支持杆２３に保持する保持手段２８とを備えている。
【００３０】
滑車２４と、それに掛け回した索条２５と、巻取装置２６とにより、水車装置６を昇降可能として吊支しうる吊支装置２９が構成されている。
索条２５の一端は、リング２５ａを介して４本に分岐し、そのそれぞれの先端に設けたフック２５ｂを、取付部材８の四隅のボルト挿通孔７に掛止しうるようにしてある。
【００３１】
ベース脚２２は、図３に２点鎖線で、かつ図４に実線で示すように、前後方向を向く水平脚杆２２ａの両端に、相互の間隔を水車装置６における水車本体１０の前後方向の幅、および床板３における挿通孔４の前後方向の幅より大とした、左方を向く１対の水平側脚２２ｂ、２２ｂを固着した、平面視コ字状としてある。
【００３２】
支持杆２３は、ベース脚２２における水平脚杆２２ａの前後の端部に立設した１対の側枠杆２３ａ、２３ａと、両側枠杆２３ａ、２３ａの上端部同士を連結する前後方向を向く連結杆２３ｂとからなっている。
【００３３】
連結杆２３ｂの左側面における前後方向の中間部には、平面視コ字状をなす滑車ブラケット２４ａが固着されており、滑車２４は、この滑車ブラケット２４ａの先端部に、滑車軸２４ｂをもって枢支されている。
【００３４】
保持手段２８は、図４に示すように、吊支装置２９により、水車装置６をその水車本体１０におけるダクト１５の下端が、ベース脚２２の下面より上方となるように吊り上げたとき、ダクト１５の右方に位置するように、両側枠杆２３ａ、２３ａに架設したダクト受け部材３０と、同じく水車装置６における取付部材８の右方に位置するように、両側枠杆２３ａ、２３ａに架設した取付板受け部材３１とからなっている。
【００３５】
ダクト受け部材３０における左側面の上半部は、ダクト１５の外周面と補形をなす円弧状の曲面３０ａとし、同じく下半部は、垂直面とするのが好ましい。
取付板受け部材３１における左側面の上端部は、左方に向かって上向き傾斜する傾斜面３１ａとし、同じく下端部は、右方に向かって下向き傾斜する傾斜面３１ｂとするのが好ましい。
【００３６】
支持杆２３における１対の側枠杆２３ａ、２３ａの下端部の右側面には、平面視コ字状とした車輪ブラケット２７ａ、２７ａが固着されており、各車輪２７は、各車輪ブラケット２７ａに、前後方向を向く車軸２７ｂをもって枢支されている。
【００３７】
図示の例では、車輪２７は、各側枠杆２３ａの下端部に設けた前後１対としてあるが、水平脚杆２２ａの右側面における前後方向の中央部に１個だけ設けたり、図４に２点鎖線で示すように、各側枠杆２３ａの上端部にも設けて、４輪としたりすることもできる。
【００３８】
連結杆２３ｂの上面には、キャリヤ２１を、図４に示す起立状態から、図５に示すように倒伏させて搬送するときに把持するコ字状(図６参照)の取手３２が設けられている。
【００３９】
巻取装置２６は、支持杆２３における一方の側枠杆２３ａの外側に配設した回転ハンドル２６ａを回転させることにより、両側枠杆２３ａ、２３ａ間に設けた巻取ドラム２６ｂを回転させて、これに索条２５を巻き取ったり、繰り出させたりしうるようにしたもので、回転ハンドル２６ａの回転力は、巻取ドラム２６ｂに伝達されるが、巻取ドラム２６ｂからの回転力は回転ハンドル２６ａには伝達されないようにしたセルフロック装置(図示略)を備えるウインチとするのが好ましい。
【００４０】
次に、図４〜図６を参照して、本発明の水車装置の設置方法の一実施要領について説明する。
図４に示す水路１上に、前後１対の水平梁２、２を架設した後、その上に、挿通孔４と取付孔５とを設けた床板３を敷設する。
【００４１】
次いで、図４に示す水路１上の床板３から離れた場所において、キャリヤ２１におけるベース脚２２を接床または接地させて、キャリヤ２１を起立状態とし、その状態で、吊支装置２９により、水車装置６を、図４に示す状態と同じ高さまで吊り上げ、そのままの状態で、キャリヤ２１を、車輪２７の車軸２７ｂを中心として、図５に示す倒伏位置まで倒伏させる。
【００４２】
このとき、水車装置６におけるダクト１５はダクト受け部材３０に、同じく取付部材８は取付板受け部材３１に、それぞれ安定よく保持される。
【００４３】
このように、水車装置６を倒伏させたキャリヤ２１上に保持させた状態で、キャリヤ２１を、水路１上の床板３上まで搬送し、床板３上において、ベース脚２２が、図３に２点鎖線で示す位置に接床するようにして、キャリヤ２１を図４に示すように起立させる。
床板３と、その側方の地面との間に段差がある場合には、地面から床板３へのキャリヤ２１の乗り移りを容易にするための傾斜板(図示略)を、その段差部に掛け渡すのがよい。
【００４４】
キャリヤ２１を床板３上に起立させると、水車装置６は、キャリヤ２１を倒伏させる直前の状態と同様の状態に復帰し、図４に示すように、吊支装置２９により吊支された状態となる。
【００４５】
この状態から、巻取装置２６における回転ハンドル２６ａを、水車装置６の吊り上げ時と逆方向に回転させ、巻取ドラム２６ｂから索条２５を繰り出させて、水車装置６における水車本体１０を、床板３における挿通孔４を通して下降させ、水流１ｂ内に浸漬させる。
【００４６】
水車装置６における取付部材８が、床板３の上面とほぼ等高となる位置まで下降したとき(図４における右方の２点鎖線参照)、その下降を停止させ、その後、水車装置６における吊支杆９が床板３における取付孔５に嵌合するように、水車装置６を左方に移動させる(図４における左方の２点鎖線参照)。
この移動は、キャリヤ２１全体を左方に移動させることにより行ってもよいし、キャリヤ２１を図４に示す位置に停止させたまま、索条２５の先端部、例えばリング２５ａの部分、または水車装置６における取付部材８を左方に牽引して行ってもよい。
【００４７】
取付部材８における各ボルト挿通孔７を、床板３における対応するボルト挿通孔１６に整合させ、その前後において、索条２５の先端における各フック２５ｂを取付部材８から外し、各ボルト挿通孔７、１６にボルト１７を挿通し、かつナット１８に螺合させて締め付けることにより、取付部材８を床板３に固着し、水車装置６の設置作業が完了する。
【００４８】
設置作業の完了後、キャリヤ２１は、床板３上から別の場所に搬送し、そこに保管しておいてもよいが、ベース脚２２を、固着手段(図示略)をもって床板３上に固着することによって、床板３上に残置しておいてもよい。
【００４９】
キャリヤ２１を床板３上に残置しておくと、固着手段１９を外して、水車装置６を、吊支装置２９により、図４に実線で示す位置まで、適時に吊り上げて、水車装置６の点検や修理を行うことができる。
【００５０】
また、水路１の洪水が予測される場合等には、水車装置６を、上記設置作業の逆の手順で、固着手段１９を外して、水車装置６を、吊支装置２９により、図４に実線で示す位置まで吊り上げた後、ベース脚２２の固着手段を外して、キャリヤ２１を、図５に示す倒伏位置まで倒伏させ、水車装置６をキャリヤ２１に載置して、保管場所まで搬送し、そこに保管しておくことができる。
【００５１】
本発明は、上記実施形態のみに限定されるものではなく、特許請求の範囲を逸脱することなく、例えば、次のような幾多の変形した態様での実施が可能である。
(１)  床板３に、複数の水車装置６を並設する。
そのために、床板３に、挿通孔４および取付孔５を、複数組設ける。
(２)  取付部材８の四隅、または適宜の個所に、取付部材８を床板３上に載置した状態で、フック２５ｂを自由に着脱しうるようにした耳片(図示略)を設ける。
【符号の説明】
【００５２】
１  水路
１ａ側壁
１ｂ流水
２  水平梁
３  床板
４  挿通孔
５  取付孔
６  水車装置
７  ボルト挿通孔
８  取付部材
９  吊支杆
１０  水車本体
１１  発電装置
１２  軸受ケーシング
１３  水車軸
１４  ロータ
１４ａ揚力型ブレード
１４ｂハブ
１５  ダクト
１６  ボルト挿通孔
１７  ボルト
１８  ナット
１９  固着手段
２０  伝達軸
２１  水車搬送用キャリヤ
２２  ベース脚
２２ａ水平脚杆
２２ｂ水平側脚
２３  支持杆
２３ａ側枠杆
２３ｂ連結杆
２４  滑車
２４ａ滑車ブラケット
２４ｂ滑車軸
２５  索条
２５ａリング
２５ｂフック
２６  巻取装置
２６ａ回転ハンドル
２６ｂ巻取ドラム
２７  車輪
２７ａ車輪ブラケット
２７ｂ車軸
２８  保持手段
２９  吊支装置
３０  ダクト受け部材
３０ａ曲面
３１  取付板受け部材
３１ａ、３１ｂ  傾斜面
３２  取手
【図１】
2018040302.tif 000003
【図２】
2018040302.tif 000004
【図３】
2018040302.tif 000005
【図４】
2018040302.tif 000006
【図５】
2018040302.tif 000007
【図６】
2018040302.tif 000008